(57)【特許請求の範囲】
【請求項１】
竿体に外装されるコア材層と、
前記コア材層の外表面を覆う繊維強化樹脂層と、
を備え、
前記繊維強化樹脂層が前記竿体の外表面に接するように設けられ、
前記繊維強化樹脂層は、強化繊維として炭素繊維又はガラス繊維を含む、
グリップ。
【請求項２】
前記繊維強化樹脂層は、その一部が前記竿体と前記コア材層との間に介在するように設
けられる、請求項１に記載のグリップ。
【請求項３】
前記繊維強化樹脂層は、その一部が前記コア材層の前側端部又は後側端部を覆うように
設けられる、請求項２に記載のグリップ。
【請求項４】
前記繊維強化樹脂層は、前側端部又は後側端部に複数の折り返し部を有しており、当該折り返し部の一部が前記竿体と前記コア材層との間に介在する、
請求項３に記載のグリップ。
【請求項５】
前記複数の折り返し部は、互いに重ね合わされている、
請求項４に記載のグリップ。
【請求項６】
前記繊維強化樹脂層の前記前側端部又は前記後側端部には前記竿体の軸方向に沿って延びるスリットが設けられており、前記複数の折り返し部のうちの隣接する折り返し部同士は、前記スリットにより分離されている、
請求項４に記載のグリップ。
【請求項７】
前記繊維強化樹脂層は、前記竿体の軸方向に沿って配向された強化繊維を有する、請求
項１ないし請求項６のいずれか１項に記載のグリップ。
【請求項８】
前記繊維強化樹脂層は、前記コア材層の減衰比よりも小さい減衰比を有する、請求項１
ないし請求項７のいずれか１項に記載のグリップ。
【請求項９】
前記コア材層は、発泡樹脂又は天然コルクから成る、請求項１ないし請求項８のいずれ
か１項に記載のグリップ。
【請求項１０】
前記コア材層と前記繊維強化樹脂層との間に設けられた樹脂製の中間層をさらに備える
、請求項１ないし請求項９のいずれか１項に記載のグリップ。
【請求項１１】
請求項１ないし請求項１０のいずれか１項に記載のグリップを備える釣竿。
【発明の詳細な説明】
【技術分野】
【０００１】
本発明は、改善された魚信伝達性を有するグリップ及び当該グリップを備えた釣竿に関する。
【背景技術】
【０００２】
釣竿に用いられる従来のグリップは、軽量化及び快適な握り心地を実現するために、その表面に天然コルク等の柔らかい素材を備えている。このようなグリップを備える釣竿は、例えば、特開２００１−３７３７６号公報（特許文献１）及び特開２０１１−２４４９１号公報（特許文献２）に開示されている。この特許文献２には、竿管の周りに繊維強化樹脂製のグリップベースを設け、このグリップベースの上にグリップベースよりも柔らかい素材(コルク等)から成る表面層を設けてなる釣竿用のグリップが開示されている。特許文献２においては、当該グリップは、表面層では握り心地が良く、かつ、当たりが感知し易いとされている。
【先行技術文献】
【特許文献】
【０００３】
【特許文献１】特開２００１−３７３７６号公報
【特許文献２】特開２０１１−２４４９１号公報
【発明の概要】
【発明が解決しようとする課題】
【０００４】
しかしながら、グリップの表面層がコルク等の柔らかい素材で形成されていると、当該表面層において釣竿からの振動が大きく減衰されてしまう。よって、従来のグリップでは、魚信が釣り人の手に伝わりにくい。
【０００５】
本発明の目的の一つは、改善された魚信の伝達性を有するグリップ、及び、当該軽量グリップを備えた釣竿を提供することである。本発明のこれら以外の目的は、本明細書全体を参照することにより明らかとなる。
【課題を解決するための手段】
【０００６】
本発明の一実施形態に係るグリップは、例えば釣竿用のグリップである。当該グリップは、竿体に外装されるコア材層と、前記コア材層の外表面を覆う繊維強化樹脂層と、を備える。本発明の一実施形態において、前記繊維強化樹脂層は、前記竿体の外表面に接するように設けられる。
【０００７】
当該実施形態によれば、アタリがあったときに竿体を伝わる振動は、繊維強化樹脂層を伝わって釣人に伝達される。これにより、魚信の伝達性が改善されたグリップが得られる。
【０００８】
本発明の一実施形態に係るグリップにおいては、前記繊維強化樹脂層の一部が前記竿体と前記コア材層との間に介在するように設けられる。当該実施形態によれば、竿体と繊維強化樹脂層との接触面積を大きくとることができるので、竿体を伝わる振動を繊維強化樹脂層により伝達しやすくなる。また、コア材層が柔らかい素材（コルク又は発泡樹脂等）から成る場合であっても、グリップがつぶれにくくなる。
【０００９】
本発明の一実施形態に係るグリップにおいては、前記繊維強化樹脂層の一部が前記コア材層の前側端部又は後側端部を覆うように設けられる。当該実施形態によれば、コア材層の露出を避けることができる。
【００１０】
本発明の一実施形態に係るグリップにおいて、前記繊維強化樹脂層は、前記竿体の軸方向に沿って配向された強化繊維を有する。一般に、強化繊維は、マトリクス樹脂と比較して減衰比が小さい。よって、当該実施形態によれば、竿体からの振動が繊維強化樹脂層の強化繊維中を低減衰で伝達される。これにより、魚信の伝達性をさらに改善することができる。
【００１１】
本発明の一実施形態に係る釣竿は、釣人が把持するためのグリップを有している。当該グリップは、竿体の外表面に外装されるコア材層と、前記コア材層の外表面を覆う繊維強化樹脂層と、を備え、前記繊維強化樹脂層が前記竿体の外表面に接するように設けられる。
【発明の効果】
【００１２】
本発明の実施形態によって、魚信の伝達性が改善されたグリップ、及び、当該グリップを備えた釣竿が得られる。
【図面の簡単な説明】
【００１３】
【図１】本発明の一実施形態に係る釣竿を示す図。
【図２】図１の釣竿に備えられたグリップを示す断面図。
【図３】繊維強化樹脂層の端部に形成された切り込みを模式的に示す図。
【図４】本発明の一実施形態に係るグリップの断面図
【図５】本発明の一実施形態に係るグリップの断面図。
【図６】本発明の一実施形態に係る釣竿を示す図。
【図７】図６の釣竿に備えられたグリップを示す断面図。
【発明を実施するための形態】
【００１４】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００１５】
図１及び図２は、本発明の一実施形態に係る釣竿１を示す図である。図１は、当該釣竿１の全体図を示す。図２は、釣竿１に備えられたグリップの断面図を示す。図２は、竿体の中心軸を通る平面でグリップを切断した断面図を示している。
【００１６】
釣竿１は、複数の竿体から成る。図１の例では、釣竿１は、竿体２ａと、竿体２ｂと、竿体２ｃとを備える。竿体２ａは、最も手元側にある竿体である。竿体２ａは、元竿とも呼ばれる。竿体２ａには、使用時に釣り人によって握持されるグリップ１０が設けられている。グリップ１０の後端には、尻栓１４が設けられる。竿体２ｃは、最も穂先側にある竿体である。竿体２ｃは、穂先竿とも呼ばれる。図１の釣竿１を使用するときには、竿体２ｃの基端が竿体２ｂの先端に差し込まれ、竿体２ｂの基端が竿体２ａの先端に差し込まれる。釣竿１は、例えば、へら竿である。
【００１７】
これらの竿体２ａは、図２に示されているように中空の管状に形成される。竿体２ｂ及び竿体２ｃも竿体２ａと同様に中空の管状に形成される。竿体２ａ、竿体２ｂ、及び竿体２ｃは、例えば、炭素繊維にマトリックス樹脂を含浸させたプリプレグシート等を用いて形成され得る。竿体２ａ、竿体２ｂ、及び竿体２ｃは、中実に形成されてもよい。
【００１８】
グリップ１０は、竿体２ａに外装されるコア材層１５と、当該コア材層１５の外表面を覆う繊維強化樹脂層１６と、を備える。コア材層１５は、竿体２ａを受け入れることができるように中空に形成される。一実施形態において、コア材層１５は、発泡ウレタンなどの発泡樹脂、天然コルク、及びこれら以外の軽量で柔らかい素材から形成される。発泡樹脂は、一般に軽量で且つ柔らかい。よって、コア材層１５として発泡樹脂を用いることにより、グリップ１０を軽量化できるとともに、手に馴染みやすい握り心地を実現することができる。コア材層１５の材料は、本明細書で明示されるものには限定されない。コア材層１５の材料には、重量、柔軟性、加工特性、コストなどに鑑みて様々なものを使用することができる。
【００１９】
本発明の一実施形態において、繊維強化樹脂層１６は、強化繊維にマトリックス樹脂を含浸させたプリプレグシートから成る。繊維強化樹脂層１６に用いられる強化繊維は、例えば、炭素繊維又はガラス繊維である。マトリックス樹脂としては、公知の様々な合成樹脂を用いることができる。
【００２０】
繊維強化樹脂層１６は、コア材層１５の外表面を被覆する表面部１６ａと、コア材層１５と竿体２ａとの間に介在する介在層１６ｂと、この表面部１６ａと介在層１６ｂとを接続する接続部１６ｃとを有していてもよい。繊維強化樹脂層１６は、竿体２ａの外表面と接するように設けられる。図２の例では、繊維強化樹脂層１６は、介在層１６ｂにおいて竿体２ａと接している。これにより、竿体２ａを伝わる振動が介在層１６ｂから表面部１６ａまで伝達される。
【００２１】
繊維強化樹脂層１６は、多数の強化繊維を有しているため、竿体２ａから伝わった振動は、この強化繊維を通って表面部１６ａまで伝達される。繊維強化樹脂層１６は、コア材層１５の減衰比よりも小さな減衰比を有することが望ましい。減衰比とは、振動のおさまり易さを示す指数をいい、減衰比が大きいほど振動はおさまり易く、小さいほど振動はおさまり難い。減衰比は、例えば、ＪＩＳ  Ｇ０６０２：１９９３（制振鋼板の振動減衰特性試験方法）で測定される損失係数に基づいて定められる。強化繊維は、一般に、マトリクス樹脂よりも損失係数が小さい。よって、竿体２ａから伝わった振動は、強化繊維を通って低減衰で表面部１６ａまで伝達され得る。
【００２２】
このように、本発明の一実施形態に係るグリップ１０においては、竿体２ａからの振動が繊維強化樹脂層１６を経由して釣り人まで伝達される。よって、このグリップ１０による振動の減衰は、竿体の振動が発泡樹脂を経由して釣り人に伝達される従来のグリップよりも小さくなる。よって、当該グリップ１０により、魚信の伝達性を改善することができる。
【００２３】
繊維強化樹脂層１６は、竿体２ａの軸方向に沿って配向された強化繊維を有してもよい。竿体２ａの軸方向に沿って配向された強化繊維を有する繊維強化樹脂層１６は、強化繊維が他の方向（例えば、竿体２ａの周方向）に配向されている繊維強化樹脂層よりも、竿体２ａから伝達された振動を表面部１６ａにより少ない減衰で伝達することができる。また、繊維強化樹脂層１６は、編み込まれた（例えば、平織りされた）強化繊維を有していてもよい。繊維強化樹脂層１６が編み込まれた強化繊維を有することにより、特定の方向に配向した強化繊維を有する繊維強化樹脂よりも、繊維強化樹脂層１６の端面が剥離しにくくなる。また、編み込まれた強化繊維を有する繊維強化樹脂層１６においては強化繊維が移動しやすいため、テーパーを有する面や複雑な表面形状の面にも繊維強化樹脂層１６を配置しやすい。
【００２４】
本発明の一実施形態に係るグリップ１０においては、接続部１６ｃによりコア材層１５の前端が被覆されている。これにより、コア材層１５の環境への露出を防止できる。これにより、コア材層１５の摩耗や腐食を抑制することができる。また、グリップ１０の外表面及び前端が繊維強化樹脂層１６で覆われているので、整然とした印象の外観を得ることができる。
【００２５】
本発明の一実施形態に係るグリップ１０においては、コア材層１５の周方向への変形が、介在層１６ｂ及び接続部１６ｃにより抑制されている。つまり、コア材層１５の先端は、繊維強化樹脂製の表面部１６ａ、介在層１６ｂ、及び接続部１６ｃで補強されている。より具体的には、接続部１６ｃは、コア材層１５の厚み方向に沿って延伸しているので、コア材層１５を内部に圧縮する方向の力に抗してコア材層１５を支持することができる。このように、表面部１６ａ、介在層１６ｂ、及び接続部１６ｃにより、グリップ１０がつぶれにくくなる。
【００２６】
繊維強化樹脂層１６は、中空の管状に形成されたコア材層１５の表面に、プリプレグシートを巻回し、その端部を軸方向内方に折り曲げることで形成される。プリプレグシートの竿体の前後方向の端部の少なくとも一方には、図３に示すように、切り込みを入れておくことが望ましい。このようにプリプレグシートの端部に切り込みを入れることにより、当該プリプレグシートの端部に、複数の折り返し部１６ｇが形成される。この折り返し部１６ｇは、プリプレグシートの前後方向の端部から、三角形の短片を切除することにより形成され得る。この折り返し部１６ｇのうち、コア材層１５の内周面に向かって折り返されたときにコア材層１５と竿体２ａとの間に介在する部分が介在層１６ｂとなり、コア材層１５の前端面を覆う部分が接続部１６ｃとなる。折り返し部１６ｇの各々は、コア材層１５の内周面に向かって折り返されたときに互いとの間に隙間が生じないように形成される。また、折り返し部１６ｇの各々は、コア材層１５の内周面に向かって折り返されたときに互いと重なり合わないように形成される。このような切り込みを有するプリプレグシートをコア材層１５の外表面に巻回し、当該プリプレグシートの折り返し部１６ｇを折り返すことにより、コア材層１５の内表面にプリプレグシートの端部（介在層１６ｂに相当する部分）を配置することができる。プリプレグシートに含まれる強化繊維が竿体２ａの軸方向に沿って配向されている場合には、上記のように、その軸方向の端部から三角形の短片を切除することにより、プリプレグシートをコア材層１５の表面に巻き付ける際にコア材層１５の前端の先細りにテーパしている外表面においても当該軸方向に沿った配向を維持することができる。これにより、プリプレグシートの立ち上がりを抑制することができるので、当該プリプレグシートを当該コア材層の周りに巻き付けやすい。折り返し部１６ｇは、プリプレグシートの前後方向の端部の少なくとも一方に軸方向に延びるスリットを形成することによって形成してもよい。このスリットにより、プリプレグシートの端部をコア材層１５の内周面側に折り曲げる際に、プリプレグシートにしわが発生しない。つまり、コア材層１５の外表面のテーパーが形成された部分においては、スリットにより形成された折り返し部１６ｇが互いに重ねられる。このように、グリップの前後方向の端部では複数の折り返し部１６ｇが重ね合わされているので、グリップの前後方向の端部の強度を向上させることができる。
【００２７】
コア材層１５と繊維強化樹脂層１６との間には、合成樹脂から成る中間層（不図示）を設けてもよい。コア材層１５を発泡樹脂で形成する場合には、繊維強化樹脂層１６のマトリックス樹脂がコア材層１５に吸着されて、繊維強化樹脂層１６において樹脂が不足する樹脂枯れという現象が起こる可能性がある。コア材層１５と繊維強化樹脂層１６との間に、合成樹脂から成る中間層を設けることにより樹脂枯れを防止することができる。
【００２８】
繊維強化樹脂層１６の形状及び配置は上述したものに限られない。図４及び図５に、本発明の他の実施形態に係るグリップを示す。例えば、図４に示すように、本発明の一実施形態に係るグリップ１０’は、接続部１６ｃの内方端において竿体２ａと接する繊維強化樹脂層１６’を有する。繊維強化樹脂層１６’は、介在層１６ｂを有していない点で図２の繊維強化樹脂層１６と異なっている。
【００２９】
また、図５に示すように、本発明の一実施形態に係るグリップ１０’’は繊維強化樹脂層１６’’を備えてもよい。繊維強化樹脂層１６’’は、その後方において、コア材層１５と竿体２ａとの間に介在する介在層１６ｄと、この表面部１６ａと介在層１６ｄとを接続する接続部１６ｆとを有する。図５に示すグリップ１０’’は、その前端と後端の両方に介在層１６が設けられている点で図２のグリップ１０と異なっている。図５のグリップ１０’’は、図２のグリップ１０よりも、釣り人が握ったときにつぶれにくい構造となっている。図５のグリップ１０’’によれば、コア材層１５の前端だけでなく後端についても被覆することができる。これにより、コア材層１５の摩耗や腐食を一層抑制することができる。
【００３０】
図６及び図７は、本発明の他の実施形態に係る釣竿１Ａを示す図である。図６は、当該釣竿１Ａの全体図を示す。図７は、釣竿１に備えられたグリップの断面図を示す。図７は、竿体の中心軸を通る平面でグリップを切断した断面図を示している。
【００３１】
本実施形態の釣竿１Ａは、竿杆２０と、当該竿管２０の外表面に設けられた釣糸を穂先まで案内する複数のガイド２２と、リール取付部２３と、当該リール取付部２３よりも手元側において竿体２０に外装されたグリップ１０と、を備える。釣竿１Ａは、例えば、ルアー竿である。
【００３２】
リール取付け部２３は、公知のように、リール脚を載置する載置面２３ａと、リール脚を固定する固定フード２３ｂと、固定フード２３ｂに対向配置される移動フード２３ｃとを備えており、螺子部２３ｄに螺合された操作体２３ｅを回転操作することで、移動フード２３ｃを固定フード２３ｂに対して接近／離反させ、これにより、載置面２３ａに載置されたリールを着脱可能にしている。
【００３３】
図７に示したグリップ１０は、図２のグリップ１０と同様に構成される。グリップ１０は、リール取り付け部２３よりも穂先側において竿体２０に外装されてもよい。図６及び図７に示した釣竿１Ａには、グリップ１０に代えて、図４のグリップ１０’または図５のグリップ１０’’を用いることができる。
【００３４】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【００３５】
上記の実施形態においては、グリップ１０、グリップ１０’、及びグリップ１０’’を竿体の基端付近に設けているが、グリップの取り付け位置は図示された例に限られない。すなわち、本発明に係るグリップは、竿体の基端以外の場所に取り付けることもできる。例えば、図６に示した例において、リール取り付け部２３の前方に、グリップ１０、グリップ１０’、及びグリップ１０’’を取り付けることができる。また、リール取り付け部２３と竿管２０の基端に設けられたグリップ１０との間に、追加的にグリップ１０、グリップ１０’、又はグリップ１０’’と同様に構成されたグリップを設けてもよい。これら以外にも、釣竿に取り付けられる任意のグリップをグリップ１０、グリップ１０’、又はグリップ１０’’と同様に構成することができる。このように構成されたグリップを有する竿体も本発明の範囲に含まれる。
【符号の説明】
【００３６】
１、１Ａ  釣竿
１０、１０’、１０’’  グリップ
２ａ、２０  竿体
１５  コア材層
１６、１６’、１６’’  繊維強化樹脂層
１６ａ  表面部
１６ｂ、１６ｄ  介在層
１６ｃ、１６ｆ  接続部
【図１】
0006578235.tif 000002
【図２】
0006578235.tif 000003
【図３】
0006578235.tif 000004
【図４】
0006578235.tif 000005
【図５】
0006578235.tif 000006
【図６】
0006578235.tif 000007
【図７】
0006578235.tif 000008